【手続補正書】
【提出日】平成17年9月6日(2005.9.6)
【手続補正１】
【補正対象書類名】明細書
【補正対象項目名】００２７
【補正方法】変更
【補正の内容】
【００２７】
また、これ以外にも、ポジ型感光性材料であれば、特開平３−８７８２７号や同４−２１１２５２号公報に開示される発色材（感光性熱現像記録材料）も好適に利用可能である。
本出願人は、特願２０００−００９１３６号明細書において、光拡散板に適用可能なポジ型発色材として以上のようなポジ型感光性材料を開示しているが、本発明は、このようなポジ型感光性材料を用いた光拡散板よりもさらに耐光性の高い光拡散板１６を提供するものである。
【手続補正２】
【補正対象書類名】明細書
【補正対象項目名】００２８
【補正方法】変更
【補正の内容】
【００２８】
このように耐光性の高い本発明の光拡散板１６に用いることのできる感光性発色材料２４としては、以下のようなものを挙げることができる。
すなわち、本発明の用いられる感光性発色材料２４の好ましい一例としては、露光部が非発色となる感光性発色材料が少なくともジアゾニウム塩とカプラーと塩基とを含み、未露光部を発色現像する現像手段が加熱であるポジ型ジアゾ感光感熱材料（感光性熱現像材料）を挙げることができる。
この感光性発色材料の好ましい形態としては、油溶性のジアゾニウム塩がマイクロカプセル中に包含され、カプラーと塩基がその他の増感剤などと共に乳化分散された形でカプセルの外側に配されたものである。露光された部分では、ジアゾニウム塩は、カップリング機能を失って発色しないのに対し、未露光部では、加熱により溶融したカプラー、塩基、増感剤がカプセル内に進入しジアゾニウム塩とカップリング反応を起こして発色する。
この発色材は、特開平４−２６１８９３号に詳述されている。
【手続補正３】
【補正対象書類名】明細書
【補正対象項目名】００３８
【補正方法】変更
【補正の内容】
【００３８】
ところで、図３（Ａ）および図４（Ａ）に示すように、比較的高感度のポジ型感光性材料でブラックマスクとなる発色材層２４をセルフアラインメントプロセスで形成する場合、ビーズ２０とビーズ２０との間隙の部分にも光が照射されて露光されるので、現像後に光を透過するようになる。これは、発色材２４がブラックマスクとならず、図３（Ｂ）および図４（Ｂ）に示す拡散板１６ｃや１６ｄがブラックスクリーンとして期待する機能を損なうので、この部分は光を透過しなくなるような対策が必要である。
【手続補正４】
【補正対象書類名】明細書
【補正対象項目名】００３９
【補正方法】変更
【補正の内容】
【００３９】
このため、図３（Ａ）に示す拡散板１６ｃや図４（Ａ）に示す拡散板１６ｄを製造する際には、発色材層（感光性材料層）２４自体またはその上層（露光光源に近い層）、例えばバインダ３０を、露光光を中程度に吸収する層、すなわち露光光に対して中程度の濃度を持つ層として形成する。発色材層２４自体、またはその上層のバインダ３０を、このような中程度の濃度を持つ層として形成するには、発色材層２４を形成する材料自体またはその上層のバインダ３０自体が中程度の濃度を持つものを用いても良いが、発色材層２４またはその上層のバインダ３０に、露光光を中程度に吸収する光吸収剤を添加しても良い。
なお、このようなバインダ３０の材料としては、バインダ２５に用いられる材料を用いることができるが、バインダ２５のように無色透明にする必要はなく、材料自体が無色透明である場合や材料自体では露光光の吸収が少ない場合には、露光光を中程度に吸収するように所要量のカーボンブラック等の光吸収剤を添加して光吸収性を付与したものでも良い。
【手続補正５】
【補正対象書類名】明細書
【補正対象項目名】００４１
【補正方法】変更
【補正の内容】
【００４１】
従って、図３（Ｂ）に示すような拡散板１６ｃを製造する場合には、透明な支持シート１８にビーズ２０を接着させるバインダーとして、その感光波長において中程度に濃度を有し、熱や現像処理による現像した後に可視光域で高濃度に発色する感光性材料を用いる。
例えば、まず、透明な支持シート１８上にこのような特性を持つ感光性材料からなる発色材層２４を塗布し、その上にビーズ２０を全面的に散布し、必要に応じてビーズ２０を押圧や沈降によって支持シート１８と接触させた後、発色材層２４を乾燥して、発色材層２４によってビーズ２０を支持シート１８に接着して固定する。
【手続補正６】
【補正対象書類名】明細書
【補正対象項目名】００４３
【補正方法】変更
【補正の内容】
【００４３】
この後、発色材層２４を熱や現像処理によって現像することにより、未露光領域のみが高濃度に発色して、光の非通過領域となり、露光領域は発色せず、光の通過領域となる。こうして、図３（Ｂ）に示すように、高濃度に発色した発色材層２４がブラックマスクとして機能する拡散板１６ｃが製造される。
図３（Ｃ）に示すように、こうして得られた拡散板１６ｃを使用することにより、液晶パネル１２を透過した画像を担持する光は、ビーズ２０で屈折し、十分に拡散され、一方、ブラックマスクとして機能する発色材層２４は、支持シート１８の側（観察者側）からの外光をよく吸収する。
【手続補正７】
【補正対象書類名】明細書
【補正対象項目名】００４４
【補正方法】変更
【補正の内容】
【００４４】
また、図４（Ｂ）に示すような拡散板１６ｄを製造する場合には、まず、透明な支持シート１８に、熱や現像処理によって現像した後に可視光域で高濃度に発色する感光性発色材料２４の層である発色材層２４を形成し、その上にバインダー３０として、その感光波長において中程度に濃度を有する樹脂を用いてビーズ２０を接着させて、固定する。
この後、図４（Ａ）に示すように、ビーズ２０側から露光光としてコリメート光を入射すると、ビーズ２０に入射した光が屈折されて、ビーズ２０の底部と発色材層２４との間、または両者の接触部近傍の薄いバインダ３０の領域に入射する。この領域のバインダ３０は、中程度の濃度を持つが、薄いので、露光光が透過し、その領域下の発色材層２４が十分に露光される。この時、露光光は、ビーズ２０間の間隙部分のバインダ３０にも入射するが、この間隙部分のバインダ３０は厚いので、その下の発色材層２４は十分には露光されず、未露光領域として残る。
【手続補正８】
【補正対象書類名】明細書
【補正対象項目名】００４５
【補正方法】変更
【補正の内容】
【００４５】
この後、発色材層２４を熱や現像処理によって現像することにより、未露光領域のみが高濃度に発色して、光の非通過領域となり、露光領域は発色せず、光の通過領域となる。こうして、図４（Ｂ）に示すように、高濃度に発色した発色材層２４がブラックマスクとして機能する拡散板１６ｄが製造される。
図４（Ｃ）に示すように、こうして得られた拡散板１６ｄを使用することにより、液晶パネル１２を透過した画像を担持する光は、ビーズ２０で屈折し、十分に拡散され、一方、ブラックマスクとして機能する発色材層２４は、支持シート１８の側（観察者側）からの外光をよく吸収する。
【手続補正９】
【補正対象書類名】明細書
【補正対象項目名】００４７
【補正方法】変更
【補正の内容】
【００４７】
次に、本発明のさらに別の実施態様を図５を用いて説明する。
図５（Ａ）〜（Ｃ）に示す光各散板１６ｅは、図４に示す光各散板１６ｄと、バインダ３０の代わりに、ネガ型の感光材料（の層）３１を用いている点で異なる。
すなわち、この光拡散板１６ｅにおいては、まず、透明支持体である支持シート１８の上にポジ型の感光材料２２の層（以下、第１発色材層２２という）が配置され、この発色材層２２に部分的に埋め込まれ、または隣接してビーズ２０が配置され、上記第１発色材層２２に隣接して、または中間層（図示せず）を介してネガ型の感光材料３１の層（以下、第２発色材層３１という）が設けられている。ビーズ２０は、一部が第１発色材層２２に、一部がネガ型の感光材料の第２発色材層３１に接触している。
【手続補正１０】
【補正対象書類名】明細書
【補正対象項目名】００５３
【補正方法】変更
【補正の内容】
【００５３】
すなわち、第１発色材層２２に用いられるポジ型発色材としては、ポジ型感光性発色材料であればどのようなものでもよく、上述したポジ型ジアゾ感光感熱材料、またはマイクロデュープフィルム用直接反転乳剤やレントゲンデュープ用直接反転乳剤等のポジ型ハロゲン化銀感光乳剤よりなる感光性材料、もしくは上述の２０００−００９１３６号明細書に開示されたポジ型感光性熱現像材料やポジ型熱アブレーション材料などを挙げることができる。
また、第２発色材層３１に用いられるネガ型発色材としては、ネガ型感光性発色材料であればどのようなものでもよく、上述した通常のネガ型白黒用ハロゲン化銀感光材料のネガ型白黒用ハロゲン化銀乳剤やネガ型感光感熱材料などを挙げることができる。
【手続補正１１】
【補正対象書類名】明細書
【補正対象項目名】００６２
【補正方法】変更
【補正の内容】
【００６２】
図９に、光拡散板１６ｆと外光散乱防止シート４２を拡大して示す。
外光散乱防止シート４２は、光を吸収し、光透過率を落として外光の散乱を防止するものであり、特に限定されるものではないが、表面４２ａにＡＲ処理を施すのが好ましい。外光散乱防止シート４２としては、例えば、パーソナルコンピュータ等のモニタに取り付けて用いられるＶＤＴ（Visual Display Terminal)フィルタ（視覚表示端末用フィルタ）が好適に例示される。
【手続補正１２】
【補正対象書類名】図面
【補正対象項目名】図４
【補正方法】変更
【補正の内容】
【図４】
2001242309.tif 000001